(57)【要約】  複数の搬送ロボットと、手動仕分け商品棚エリアと、手動仕分けされる物品を保管する手動仕分け集貨補助具と、物品を保管してロボットに搬送される複数の商品棚が配置される機器仕分け商品棚エリアと、ワークステーションと、搬送ロボットや手動仕分けを行う人と通信できる制御システムとを備える中継式物品仕分けシステムであって、手動仕分けエリアの物品に関するとともに、機器仕分け商品棚エリアの物品にも関する混合型注文について、制御システムによる制御の下、手動仕分けエリアの物品に関する注文の仕分けをＰＴＧ仕分け方式で行い、機器仕分け商品棚エリアの物品に関する注文の仕分けをＧＴＰ仕分け方式で行うように、ＰＴＧ仕分け方式およびＧＴＰ仕分け方式の直列仕分けによる中継方式で混合注文の仕分けを行う中継式物品仕分けシステムを提供する。本発明は、仕分けタスクリストによる手動仕分けおよびロボットによるＧＴＰ仕分けの利点を協調的に結び付け、方案全体の仕分け効率を向上させる。
2019532883.tif 000002
【特許請求の範囲】
【請求項１】
商品棚を持ち上げて運搬することができる複数の搬送ロボットと、
手動仕分けされる物品を保管するための手動仕分け商品棚エリアと、
容器が載置され、手動運転または運搬に便利であり、バックグラウンドシステムによって、それぞれの手動仕分け補助具と、載置する容器、対応する注文情報とを結び付けるように操作することができる手動仕分け集貨補助具と、
物品を保管してロボットに搬送される複数の商品棚が配置され、商品棚が複数の行／列の商品棚行列に配列され、空の行／列は搬送ロボットが通行する通路を構成する機器仕分け商品棚エリアと、
搬送ロボットによって商品棚が搬送されると、仕分け作業者は、商品棚から物品を仕分けしたり、物品を商品棚に載せたりするワークステーションと、
搬送ロボットや手動仕分けを行う人と通信し、注文の割り当て、商品棚の搬送、および物品の仕分けを行うように制御できる制御システムと、
を備える中継式物品仕分けシステムであって、
手動仕分けエリアの物品に関するとともに、機器仕分け商品棚エリアの物品にも関する混合型注文について、手動仕分けエリアの物品に関する注文の仕分けをＰＴＧ仕分け方式で行い、機器仕分け商品棚エリアの物品に関する注文の仕分けをＧＴＰ仕分け方式で行うように、制御システムによる制御の下、ＰＴＧ仕分け方式およびＧＴＰ仕分け方式の直列仕分けによる中継方式で混合注文の仕分けを行う、中継式物品仕分けシステム。
【請求項２】
制御システムは、注文を、手動仕分けエリアの物品のみに関する手動仕分け型注文と、機器仕分け商品棚エリアの物品のみに関するＧＴＰ仕分け型注文と、混合型注文とに分類し、
手動仕分け型注文について、制御システムは、ＰＴＧ仕分け方式で物品を仕分けするように制御し、
ＧＴＰ仕分け型注文について、制御システムは、ＧＴＰ仕分け方式で物品を仕分けするように制御する、請求項１に記載の中継式物品仕分けシステム。
【請求項３】
前記手動仕分け商品棚エリアに、手動仕分けされる物品が保管される複数の手動仕分け商品棚が配置され、それぞれの手動仕分け商品棚が一意の番号を有し、手動仕分け商品棚におけるステーション、ステーションにおける物品タグ、および数量情報が制御システムに記憶される、請求項１に記載の中継式物品仕分けシステム。
【請求項４】
手動仕分け商品棚エリアの物品の仕分け頻度は、機器仕分け商品棚エリアの物品の仕分け頻度よりも大きい、請求項１に記載の中継式物品仕分けシステム。
【請求項５】
前記中継方式で混合注文の仕分けを行うことは、
手動仕分けエリアの物品に関する注文の仕分けをＰＴＧの方式で行ってから、機器仕分け商品棚エリアの物品に関する注文の仕分けをＧＴＰの方式で行うことを含む、請求項１に記載の中継式物品仕分けシステム。
【請求項６】
同一の混合注文について、ＰＴＧ方式の仕分け部分の物品の仕分けと、ＧＴＰ方式の物品の仕分けとは、使用する容器が同一であり、且つ、該同一の容器が常に同一の手動仕分け集貨補助具に配置される、請求項５に記載の中継式物品仕分けシステム。
【請求項７】
ワークステーションに配置された種まき壁を更に備え、同一の混合注文について、ＰＴＧ方式部分の物品の仕分けと、ＧＴＰ方式の物品の仕分けとは、使用する容器が同一であり、且つ、該同一の容器がＰＴＧ方式の仕分け部分において手動仕分け集貨補助具に配置され、ＧＴＰ方式の仕分け部分において種まき壁に配置され、種まき壁に配置される場合に、種まき壁のステーションと容器タグ、注文情報との間の再結び付けが行われる、請求項５に記載の中継式物品仕分けシステム。
【請求項８】
前記混合注文の仕分けを行うことは、
機器仕分け商品棚エリアの物品に関する注文の仕分けをＧＴＰの方式で行ってから、手動仕分けエリアの物品に関する注文の仕分けをＰＴＧの方式で行うことを含む、請求項１に記載の中継式物品仕分けシステム。
【請求項９】
手動仕分け商品棚エリアの商品棚における物品が手動で仕分けされるときごとに、制御システムに記憶された手動仕分け商品棚におけるステーション、ステーションにおける物品タグ、および数量情報が更新される、請求項１から８のいずれか１項に記載の中継式物品仕分けシステム。
【請求項１０】
前記それぞれの手動仕分け補助具と、載置する容器、対応する注文情報とを結び付けることは、スキャナでカートのバーコードおよび／または容器のバーコードをスキャンすることにより行われる、請求項１から８のいずれか１項に記載の中継式物品仕分けシステム。
【請求項１１】
ＰＴＧ仕分け方式において、携帯容器が載置された手動仕分け集貨補助具を手動で手動仕分け商品棚エリアに運搬して物品を仕分けし、
ＧＴＰ仕分け方式において、人および容器が仕分けステーションに位置し、搬送ロボットが商品棚をワークステーションに搬送し、仕分け作業者が商品棚から物品を容器に仕分けする、請求項１から８のいずれか１項に記載の中継式物品仕分けシステム。
【請求項１２】
ＰＴＧ仕分け方式において、制御システムが計画したルートに従って、手動仕分け集貨補助具を手動で手動仕分け商品棚エリアに運搬して物品を仕分けする、請求項１１に記載の中継式物品仕分けシステム。
【請求項１３】
手動仕分け商品棚エリアに到着すると、制御システムが指示する注文仕分け順序に従って物品の仕分けを手動で行う、請求項１２に記載の中継式物品仕分けシステム。
【請求項１４】
中継方式の２つの段階について、いずれかの段階において物品の仕分けが行われた後に、制御システムに維持された対応する注文の仕分け状態が更新される、請求項１から８のいずれか１項に記載の中継式物品仕分けシステム。
【請求項１５】
前記制御システムによる制御の下、ＰＴＧ仕分け方式およびＧＴＰ仕分け方式の直列仕分けによる中継方式で混合注文の仕分けを行うことは、
ＰＴＧ仕分け方式が先に行われ、ＧＴＰ仕分け方式が後に行われる場合に、（１）ＰＴＧの仕分けが行われた後に、注文に関連する容器が載置された手動仕分け集貨補助具は、ワークステーションに運搬され、ワークステーションにおいて、手動仕分け集貨補助具の商品配置位置タグ情報、容器タグ情報は、対応する注文情報と関連付けられて制御システムに維持され、且つ、注文において行う必要のある仕分けタスクを指示するように、対応する注文情報が更新されており、この時の仕分けタスクは機器仕分け商品棚エリアの物品のみに関し、（２）続いて、前記注文情報に基づき、商品棚の割り当て、商品棚の搬送、商品棚への物品載せを経由して種まき壁の容器に仕分けすることを含む、ＧＴＰ仕分け方式による仕分けを行うことと、
ＧＴＰ仕分け方式が先に行われ、ＰＴＧ仕分け方式が後に行われる場合に、（１）ワークステーションにおいて、手動仕分け集貨補助具の商品配置位置タグ情報、容器タグ情報は対応する注文情報と関連付けられて制御システムに維持され、且つ、対応する注文情報は、注文において行う必要のある、ＧＴＰ仕分けに関連する仕分けタスクを指示し、この時の仕分けタスクは、機器仕分け商品棚エリアの物品のみに関し、（２）続いて、前記注文情報に基づき、商品棚の割り当て、商品棚の搬送、商品棚への物品載せを経由して種まき壁の容器に仕分けすることを含む、ＧＴＰ仕分け方式による仕分けを行い、（３）ＧＴＰの仕分けが行われた後に、対応する注文情報を更新して注文において行う必要のある、ＰＴＧ仕分けに関連する仕分けタスクを指示し、この時の仕分けタスクは手動仕分け商品棚エリアの物品のみに関することと、
を含む、請求項１から８のいずれか１項に記載の中継式物品仕分けシステム。
【請求項１６】
請求項１に記載の中継式物品仕分けシステムで実行される中継式物品仕分け方法であって、
手動仕分けエリアの物品に関するとともに、機器仕分け商品棚エリアの物品にも関する混合型注文について、制御システムによる制御の下、ＰＴＧ仕分け方式およびＧＴＰ仕分け方式の直列仕分けによる中継方式で混合注文の仕分けを行い、手動仕分けエリアの物品に関する注文の仕分けをＰＴＧ仕分け方式で行い、機器仕分け商品棚エリアの物品に関する注文の仕分けをＧＴＰ仕分け方式で行うこと、
を含む、中継式物品仕分け方法。
【請求項１７】
制御システムは、処理待ちの注文を、手動仕分け型注文は手動仕分けエリアの物品のみに関する手動仕分け型注文と、機器仕分け商品棚エリアの物品のみに関するＧＴＰ仕分け型注文と、手動仕分けエリアの物品に関するとともに機器仕分け商品棚エリアの物品にも関する混合型注文とに分類することを更に含み、
手動仕分け型注文について、制御システムによる制御の下、ＰＴＧ仕分け方式で物品の仕分けを行い、
ＧＴＰ仕分け型注文について、制御システムによる制御の下、ロボットに基づくＧＴＰ仕分け方式で物品の仕分けを行い、ＧＴＰ仕分け方式において、制御システムは、注文に基づいて搬送待ちの商品棚を決定し、商品棚を機器仕分け商品棚エリアからワークステーションに運搬するようにロボットに指示し、ワークステーションにおいて、仕分け作業者は制御システムの制御に基づいて商品棚から物品を仕分けし、
混合型注文について、制御システムによる制御の下、ＰＴＧ仕分け方式およびＧＴＰ仕分け方式の直列仕分けによる中継方式で混合注文の仕分けを行う、請求項１６に記載の中継式物品仕分け方法。
【請求項１８】
前記中継方式で混合注文の仕分けを行うことは、
手動仕分けエリアの物品に関する注文の仕分けをＰＴＧの方式で行ってから、機器仕分け商品棚エリアの物品に関する注文の仕分けをＧＴＰの方式で行うことを含む、請求項１６に記載の中継式物品仕分け方法。
【請求項１９】
同一の混合注文について、ＰＴＧ方式の仕分け部分の物品の仕分けと、ＧＴＰ方式の物品の仕分けとは、使用する容器が同一であり、且つ、該同一の容器が常に同一の手動仕分け集貨補助具に配置される、請求項１８に記載の中継式物品仕分け方法。
【請求項２０】
種まき壁がワークステーションに配置され、同一の混合注文について、ＰＴＧ方式部分の物品の仕分けと、ＧＴＰ方式の物品の仕分けとは、使用する容器が同一であり、且つ、該同一の容器がＰＴＧ方式の仕分け部分において手動仕分け集貨補助具に配置され、ＧＴＰ方式の仕分け部分において種まき壁に配置され、種まき壁に配置される場合に、種まき壁のステーションと容器タグ、注文情報との間の再結び付けが行われる、請求項１８に記載の中継式物品仕分け方法。
【請求項２１】
前記混合注文の仕分けを行うことは、
機器仕分け商品棚エリアの物品に関する注文の仕分けをＧＴＰの方式で行ってから、手動仕分けエリアの物品に関する注文の仕分けをＰＴＧの方式で行うことを含む、請求項１７に記載の中継式物品仕分け方法。
【請求項２２】
手動仕分け商品棚エリアの商品棚における物品が手動で仕分けされるときごとに、制御システムに記憶された手動仕分け商品棚におけるステーション、ステーションにおける物品タグ、および数量情報が更新される、請求項１７から２１のいずれか１項に記載の中継式物品仕分け方法。
【請求項２３】
前記各手動仕分け補助具と、載置する容器、対応する注文情報とを結び付けることは、スキャナでカートのバーコードおよび／または容器のバーコードをスキャンすることにより行われる、請求項１７から２１のいずれか１項に記載の中継式物品仕分け方法。
【請求項２４】
ＰＴＧ仕分け方式において、携帯容器が載置された手動仕分け集貨補助具を手動で手動仕分け商品棚エリアに運搬して物品を仕分けし、
ＧＴＰ仕分け方式において、人および容器が仕分けステーションに位置し、搬送ロボットが商品棚をワークステーションに搬送し、仕分け作業者が商品棚から物品を容器に仕分けする、請求項１７から２１のいずれか１項に記載の中継式物品仕分け方法。
【請求項２５】
ＰＴＧ仕分け方式において、制御システムが計画したルートに従って、手動仕分け集貨補助具を手動で手動仕分け商品棚エリアに運搬して物品を仕分けする、請求項２４に記載の中継式物品仕分け方法。
【請求項２６】
手動仕分け商品棚エリアに到着すると、制御システムが指示する注文仕分け順序に従って物品の仕分けを手動で行う、請求項２５に記載の中継式物品仕分け方法。
【請求項２７】
中継方式の２つの段階について、いずれかの段階において物品の仕分けが行われた後に、制御システムに維持された対応する注文の仕分け状態が更新される、請求項１７から２１のいずれか１項に記載の中継式物品仕分け方法。
【発明の詳細な説明】
【技術分野】
【０００１】
本発明は、一般的には物流・倉庫保管技術に関し、より具体的には、eコマース分野の中継式物品仕分け方法、物品仕分けシステム、計算装置およびコンピュータ可読記憶媒体に関する。
【背景技術】
【０００２】
eコマースとインターネットショッピングの急激な発展は、物流・倉庫保管業界に急速な台頭のきっかけを与えるとともに、これまでにないチャレンジをもたらしている。手動仕分けとは、仕分け作業者が仕分けタスクリスト（紙、ＩＰＡＤ等、音声、ＶＲ媒体であってもよい）を持ちながら仕分け作業を行うことである。該方式では、物流・倉庫保管の仕分け方式のうち、コストが最も低い方式であり、その利点として、倉庫保管運営センターのハードウェアのコストが低く、仕分けタスクが増えた時に仕分け作業者を増やしてシステムの出荷能力を向上させることができる。該方式の最大の欠陥は、倉庫保管システムの商品配置位置における物品の種類および数量情報と実際の商品配置位置における物品の種類および数量とが合致しないことである。仕分け効率を更に向上させ、注文から納品までの時間を短縮し、労働力負担を削減するために、ロボットによる自動仕分けシステムを採用するＧＴＰ（Ｇｏｏｄｓ  Ｔｏ  Ｐｅｒｓｏｎ）方式は効果的な方式である。上記ＧＴＰ方式は、スマート搬送ロボットに基づくものである。ロボットは、注文要求および在庫情報に応じて、ターゲット商品棚の直下まで自動的に走行し、ターゲット商品棚を持ち上げて仕分けステーションまで搬送する。仕分けステーションに表示パネルなどの表示装置が配置され、該表示装置に配送注文の所要物品の所在位置情報が提示され、仕分け作業者は、提示に応じてターゲット商品棚から所要の物品を取り出して所定の容器に置き、仕分けタスクを行う。仕分けタスクが終了した後に、ロボットは商品棚を所定の位置に返送する。上記のＧＴＰ方式では、作業者が全過程において移動する必要がなく、仕分け効率を大幅に向上させ、作業者の労働強度を低減する。
【発明の概要】
【発明が解決しようとする課題】
【０００３】
仕分けタスクリストによる手動仕分けおよびロボットによるＧＴＰ仕分けには、それぞれ長所と短所があり、この２つの仕分け方式を協調的に結び付けて２つの仕分け方式の利点を十分に発揮し、方案全体の仕分け効率を向上させることは、早急に解決すべき重要な問題である。
【課題を解決するための手段】
【０００４】
上記事情に鑑み、本発明を提出する。
本発明の１つの態様によれば、商品棚を持ち上げて運搬することができる複数の搬送ロボットと、手動仕分けされる物品を保管するための手動仕分け商品棚エリアと、容器が載置され、手動運転または運搬に便利であり、バックグラウンドシステムによって、それぞれの手動仕分け補助具と、載置する容器、対応する注文情報とを結び付けるように操作することができる手動仕分け集貨補助具と、物品を保管してロボットに搬送される複数の商品棚が配置され、商品棚が複数の行／列の商品棚行列に配列され、空の行／列は搬送ロボットが通行する通路を構成する機器仕分け商品棚エリアと、搬送ロボットによって商品棚が搬送されると、仕分け作業者が商品棚から物品を仕分けしたり、物品を商品棚に載せたりするワークステーションと、搬送ロボットや手動仕分けを行う人と通信し、注文の割り当て、商品棚の搬送、および物品の仕分けを行うように制御できる制御システムとを備える中継式物品仕分けシステムであって、手動仕分けエリアの物品に関するとともに、機器仕分け商品棚エリアの物品にも関する混合型注文について、制御システムによる制御の下、手動仕分けエリアの物品に関する注文の仕分けをＰＴＧ仕分け方式で行い、機器仕分け商品棚エリアの物品に関する注文の仕分けをＧＴＰ仕分け方式で行うように、ＰＴＧ（Ｐｅｒｓｏｎ  Ｔｏ  Ｇｏｏｄｓ）仕分け方式およびＧＴＰ仕分け方式の直列仕分けによる中継方式で混合注文の仕分けを行う、中継式物品仕分けシステムを提供する。
【０００５】
本発明の別の態様によれば、請求項１に記載の中継式物品仕分けシステムで実行される中継式物品仕分け方法であって、手動仕分けエリアの物品に関するとともに、機器仕分け商品棚エリアの物品にも関する混合型注文について、制御システムによる制御の下、手動仕分けエリアの物品に関する注文の仕分けをＰＴＧ仕分け方式で行い、機器仕分け商品棚エリアの物品に関する注文の仕分けをＧＴＰ仕分け方式で行うように、ＰＴＧ仕分け方式およびＧＴＰ仕分け方式の直列仕分けによる中継方式で混合注文の仕分けを行うことを含む、中継式物品仕分け方法を提供する。
【発明の効果】
【０００６】
本発明の実施例による中継式物品仕分けシステムおよび中継式物品仕分け方法を利用し、全体としてデータに基づいて駆動され、中継方式で仕分けし（手動仕分けしてからロボットによるＧＴＰ仕分けをするか、または、ロボットによるＧＴＰ仕分けをしてから手動仕分けをする）、仕分けタスクリストによる手動仕分けおよびロボットによるＧＴＰ仕分けの利点を協調的に結び付け、方案全体の仕分け効率を向上させる。
【０００７】
以下の図面を参照しながら本発明の実施例について詳細に説明した内容から、本発明のこれらおよび／または他の態様と利点は、更に明らかになり、更に理解しやすくなる。
【図面の簡単な説明】
【０００８】
【図１】本発明の１つの実施例による物品仕分けシステム１００を示す。
【図２】手動仕分け集貨補助具の例としての集貨カートの図を示す。
【図３】種まき壁の模式図を示す。
【図４】本発明の実施例による、ＰＴＧ仕分けしてからＧＴＰ仕分けする中継式仕分け方法４００の全体フローチャートを示す。
【発明を実施するための形態】
【０００９】
当業者が本発明をより良く理解するために、以下、図面および具体的な実施形態を参照しながら本発明を更に詳細に説明する。
【００１０】
本発明の１つの実施例によれば、商品棚を持ち上げて運搬することができる複数の搬送ロボットと、手動仕分けされる物品が保管される複数の手動仕分け商品棚が配置され、それぞれの手動仕分け商品棚が一意の番号を有し、手動仕分け商品棚におけるステーション、ステーションにおける物品タグおよび数量情報が制御システムに記憶される手動仕分け商品棚エリアと、容器が載置され、手動運転または運搬に便利であり、バックグラウンドシステムによって、それぞれの手動仕分け補助具と、載置する容器、対応する注文情報とを結び付けるように操作することができる手動仕分け集貨補助具と、物品を保管してロボットに搬送される複数の商品棚が配置され、商品棚が複数の行／列の商品棚行列に配列され、空の行／列は搬送ロボットが通行する通路を構成する機器仕分け商品棚エリアと、搬送ロボットによって商品棚が搬送されると、仕分け作業者が商品棚から物品を仕分けしたり、物品を商品棚に載せたりするワークステーションと、注文を手動仕分け型注文と、ＧＴＰ仕分け型注文と、混合型注文とに分類し、手動仕分け型注文は手動仕分けエリアの物品のみに関し、ＧＴＰ仕分け型注文は機器仕分け商品棚エリアの物品のみに関し、混合型注文は手動仕分けエリアの物品に関するとともに機器仕分け商品棚エリアの物品にも関するように構成される制御システムとを備える中継式物品仕分けシステムであって、混合型注文について、制御システムによる制御の下に、手動仕分けエリアの物品に関する注文の仕分けをＰＴＧ仕分け方式で行い、機器仕分け商品棚エリアの物品に関する注文の仕分けをＧＴＰ仕分け方式で行うように、ＰＴＧ仕分け方式およびＧＴＰ仕分け方式の直列仕分けによる中継方式で混合注文の仕分けを行う、中継式物品仕分けシステムを提供する。
【００１１】
図１は、本発明の１つの実施例による物品仕分けシステム１００を示す。物品仕分けシステム１００は、制御システム１０と、搬送ロボット２０と、ワークステーション５０と、手動仕分け商品棚エリア３０と、機器仕分け商品棚エリア４０と、手動仕分け集貨補助具６０とを備える。
【００１２】
手動仕分け商品棚エリア３０は、手動仕分けされる物品を保管するために用いられる。一例において、手動仕分け商品棚エリア３０に、販売繁忙期または販促時期における人気商品、すなわち頻繁に注文される商品が保管される。人気商品を機器仕分け商品棚エリアに置き、ＧＴＰ方式で物品を仕分けすれば、頻繁に商品棚をステーションに搬送し、物品を仕分けして商品棚を商品棚エリアに返送する必要がある。人気商品に対して手動仕分け方式を採用すれば、商品棚の搬送が不要で、１回の作業で複数の注文、複数種の人気商品を仕分けすることができ、ＧＴＰ仕分け方式に比べて効率がより高い。
【００１３】
機器仕分け商品棚エリア４０に、物品を保管してロボット２０に搬送される複数の商品棚が配置され、商品棚エリアにおいて、商品棚が複数の行／列の商品棚行列に配列され、空の行／列は搬送ロボットが通行する通路を構成する。
【００１４】
図１に示す例において、手動仕分け商品棚エリア３０に、手動仕分けされる物品が保管される複数の手動仕分け商品棚が配置され、それぞれの手動仕分け商品棚が一意の番号を有し、手動仕分け商品棚におけるステーション、ステーションにおける物品タグおよび数量情報が制御システムに記憶される。
【００１５】
手動仕分け集貨補助具６０は、容器が載置され、手動運転または運搬に便利である。バックグラウンドシステムは、それぞれの手動仕分け補助具と、載置する容器、対応する注文情報とを結び付けるように操作することができる。例えば、注文の割り当てを行う時に、注文と容器とを関連付け、容器を手動仕分け補助具に配置する時に、容器と手動仕分け補助具とを関連付け、このように、手動仕分け補助具と、載置する容器、対応する注文情報との間を関連付ける。それにより、バックグラウンドオペレーティングシステムは、このような関連情報と、手動仕分け商品棚エリアにおける商品配置位置および対応物品の情報とに応じて、仕分け作業者の最適な走行・仕分けルートを計画することができる。以下、容器を材料箱と呼ぶこともある。
【００１６】
手動仕分け集貨補助具６０の例として、集貨カート、トレイが載置されたローリフト、ローラーコンベヤ等がある。図２は、手動仕分け集貨補助具の例としての集貨カートの図を示す。
【００１７】
一例において、手動仕分け集貨補助具に、注文の仕分けをどのように行うかを指示する手動仕分け物品の仕分けリスト指示具が付着され、一例において、仕分けリスト指示具は、紙の仕分けリストまたはペーパーレス仕分けリスト（例えば、ＲＦ、ＩＰａｄ、携帯電話等）であってもよい。
【００１８】
好ましくは、仕分け作業者が例えば手動仕分け商品棚エリアにおいて手動仕分け集貨補助具を押して仕分けする時、仕分けの進行に伴い、関連する商品棚、商品棚におけるステーションおよびステーションにおける物品の情報をリアルタイムに更新し、例えば、手動でペーパーレス仕分けリストにおける物品仕分け完了情報をトリガーする。例えば、ペーパーレス仕分けリストに、ある商品棚、あるステーションで１冊のある書籍を仕分けすることが指示されれば、完了した後に、該仕分けが既に完了したことを指示するように音声、またはタッチ等方式により入力することができ、これにより、システムは関連する商品棚ステーションにおける物品の数量等の状態の更新を行う。
【００１９】
搬送ロボット２０は、機器仕分け商品棚エリアの内部、機器仕分け商品棚エリアとワークステーションとの間、および他の地域で動き、商品棚３２を持ち上げて運搬することができる。搬送ロボット２０は、制御システム１０による制御の下、物品の搬送タスクを実行する。例えば、ロボット２０は、商品棚行列における空いている空間６０（ロボットが通行する通路の一部）に沿って走行し、ターゲット商品棚３０の下方まで移動し、ターゲット商品棚３２を持ち上げて割り当てられたワークステーション５０に搬送することができる。好ましくは、ロボットは、持ち上げ機構と、カメラと、通信手段とを有し、自律ナビゲーション機能を有する。搬送ロボットは、通信手段を介してオペレーティングシステムと通信し、更に他の搬送ロボットと通信することができる。搬送ロボットは、カメラで撮影した地面上の二次元コードにより位置決めされて前へ走行することができ、商品棚の下方まで走行し、持ち上げ機構を利用して商品棚全体を持ち上げることができる。
【００２０】
一例において、商品棚３２は、方形のフレームであり、複数層に分けることができ、物品が置かれて搬送ロボット２０に運搬され、仕分け作業者が商品棚３２から物品を仕分けする。商品棚の底端に、位置が対称で高さがロボットの高さよりも高い脚が４本備えられ、ロボットは商品棚の底部を通ることができる。商品棚の各層に、対応する識別用のタグがある。一例において、各商品棚の底部に、搬送ロボットに識別される二次元コードがあり、各商品棚の二次元コードは一意性を有する。各商品棚に、複数種の物品ができるだけ多く配置され、これによって、各商品棚はできるだけ多くの注文をカバーして商品棚の搬送回数を減少する。
【００２１】
ワークステーション５０は、ＧＴＰ仕分けの場合の仕分け作業者が動作する場所であり、搬送ロボット２０は商品棚３２をワークステーション５０に搬送し、仕分け作業者８０（人工またはロボット）は商品棚３２から物品を仕分けしたり、商品棚３２に物品を載せたりする。
【００２２】
制御システム１０は、注文を、手動仕分けエリアの物品のみに関する手動仕分け型注文と、機器仕分け商品棚エリアの物品のみに関するＧＴＰ仕分け型注文と、手動仕分けエリアの物品に関するとともに機器仕分け商品棚エリアの物品にも関する混合型注文とに分類するように構成される。ここで、混合型注文は、制御システムによる制御の下、ＰＴＧ仕分け方式およびＧＴＰ仕分け方式の直列仕分けによる中継方式で混合注文の仕分けが行われる。ここで、手動仕分けエリアの物品に関する注文がＰＴＧ仕分け方式で仕分けされ、機器仕分け商品棚エリアの物品に関する注文がＧＴＰ仕分け方式で仕分けされる。
【００２３】
具体的には、各注文に関わる各種の物品は、それぞれのカテゴリがあり、手動仕分け商品棚エリアに配置されたり、機器仕分け商品棚エリアに配置される。制御システムは、各注文に関わる全ての物品のカテゴリに応じて注文を分類する。注文に関わる全ての物品がいずれも手動仕分け商品棚エリアに位置すれば、該注文を手動仕分け型注文に分類する。注文が機器仕分け商品棚エリアの物品のみに関すれば、該注文をＧＴＰ仕分け型注文に分類し、注文が手動仕分け商品棚エリアの物品に関するとともに、機器仕分け商品棚エリアの物品にも関すれば、該注文を混合型注文に分類する。
【００２４】
一例において、制御システムは、明示的な注文分類操作を行わず、処理しようとする注文について、ある容器およびある手動仕分け集貨補助具と結び付け、その後、どのような注文であっても、対応する容器が手動仕分け集貨補助具に配置され、その後、手動仕分け集貨補助具が手動仕分け商品棚エリアに運搬され、手動仕分け商品棚エリアにおいて、仕分け作業者は、プリントした紙の注文または電子工具に指示される注文に応じて、関わる注文の仕分けを行い、すなわち、手動仕分けエリアの物品に関する注文（容器）の仕分けを行い、手動仕分けエリアの物品に関しない注文（容器）を処理しない。続いて、好ましくは、手動仕分け集貨補助具における手動仕分けエリアの物品に関する容器（注文）が全て処理された後、手動仕分け集貨補助具は、機器仕分け商品棚エリアの物品に関する注文の仕分けを行うために、ワークステーションに運搬される。しかし、場合によって、ある手動仕分け集貨補助具に対し、手動仕分けエリアの物品に関する注文の手動仕分けを一度に完了する必要がなく、手動仕分け、機器仕分け、手動仕分け、機器仕分けが交錯して行われる形式であってもよい。
【００２５】
制御システム１０は、プロセッサ、メモリ、ソフトウェア、ネットワーク等の構成要素からなる計算プラットフォームであってもよい。制御システム１０は、eコマースの個人ユーザーにオンラインショッピングサービスを提供することができる。制御システム１０は、１つまたは複数のサーバを備えてもよく、集中型制御アーキテクチャであってもよいし、分散型計算アーキテクチャであってもよい。サーバは、プロセッサおよびメモリを備えてもよく、メモリに注文プールが備えられてもよい。
【００２６】
制御システムは、ロボットおよびシステムのｌｏｇｏ情報、注文情報、操作過程に関する情報等も記憶する。
【００２７】
制御システム１０は、ロボット２０、ワークステーションにおける補助表示装置、仕分け作業者と通信するように操作することができ、通信方式は、例えば、無線通信技術または有線通信技術である。制御システム１０は、ネットワークを介して外部と通信するように動作することができる。
【００２８】
ユーザーは、クライアントを用い、ネットワークを介して制御システム１０に接続されることができる。ユーザーは、オンラインショッピングアプリケーションＡＰＰのユーザーインタフェースにより注文し、制御システム１０は注文に基づき、搬送待ちの商品棚、搬送を担当する搬送ロボット、搬送先のワークステーション、および搬送ロボットの搬送ルートを決定し、搬送ロボットに搬送指示を伝達し、ワークステーションにおいて仕分け動作を行うこと等を仕分け作業者に指示する。
【００２９】
ワークステーション５０は、ＧＴＰ仕分け方式の、物品の仕分けが発生する場所であり、搬送ロボット２０は、商品棚３２をワークステーションに搬送し、仕分け作業者８０は、商品棚３２から物品を仕分けしたり、物品を商品棚に載せたりする。
【００３０】
一般的には、ワークステーション５０は商品棚エリアの周りに配置される。
好ましくは、ワークステーション５０に種まき壁（Ｐｕｔ  Ｗａｌｌ）が設置され、種まき壁における商品配置位置に容器が配置され、それぞれの容器が注文に対応する。ＧＴＰの検索方式では、搬送ロボットは商品棚をワークステーションに搬送し、仕分け作業者は商品棚における物品を仕分けして種まき壁における対応する容器に置き、対応する注文の物品の仕分けが完了すると、対応する容器が持ち出されて梱包され、その後、新しい注文に対して物品の仕分けを行うために、新しい容器を置く。図３は、種まき壁の模式図を示す。ここで、種まき壁に、仕分け待ちの商品の情報および商品棚における所在位置情報等を全て表示パネルに表示するように指示し、情報が表示される表示装置が取り付けられ、仕分け作業者は、液晶パネルの表示情報に応じて商品棚から対応する商品を取り出す。仕分け作業者は、取得した商品をバーコードスキャナでスキャンし、スキャン結果が仕分け待ちの商品のバーコード等の情報と一致すれば、仕分け作業者は画面、指示ランプ等の提示に基づいて物品を種まき壁における所定の容器に置き、今回の仕分けタスクが終了するまで下記のタスクを実行し続ける。情報が一致しなければ，画面に商品のエラー提示が表示され，仕分け作業者に仕分けタスクの再実行を要求する。
【００３１】
好ましくは、手動仕分け商品棚エリアの物品の仕分け頻度は、機器仕分け商品棚エリアの物品の仕分け頻度よりも大きい。
【００３２】
上記の中継式物品仕分けシステムに基づき、ＰＴＧ手動仕分けとロボットに基づくＧＴＰ仕分けとを結び付ける中継式仕分け方法を提出する。ここで、手動に基づくＰＴＧ仕分けおよびロボットに基づくＧＴＰ仕分けは、優先順序の要求がなく、すなわち、手動に基づくＰＴＧ仕分けを行ってからロボットに基づくＧＴＰ仕分けを行ってもよく、ロボットに基づくＧＴＰ仕分けを行ってから手動に基づくＰＴＧ仕分けを行ってもよい。両者を交錯して行ってもよい。
【００３３】
上記システムに基づき、ＰＴＧ手動仕分けとロボットに基づくＧＴＰ仕分けとを結び付ける中継環節では、容器交換モード（箱交換モードとも呼ばれる）を採用してもよく、容器交換なしモード（箱交換なしモード）、すなわち同一の容器が載置された集貨補助具を採用してもよく、または両者の混合および他の形式等を採用してもよい。
【００３４】
図４は、本発明の実施例による、ＰＴＧ仕分けをしてからＧＴＰ仕分けをする中継式仕分け方法４００の全体的なフローチャートを示す。
【００３５】
図４に示すように、ステップＳ４１０において、手動仕分けを行う。
具体的には、容器が補助集貨カートに配置され、容器が注文情報と結び付けられ、仕分け作業者は、オペレーティングシステムが計画したルートにより、補助カートを手動仕分けエリアの各所定の位置に押し、対応する物品を取り出して対応する容器に置く。
【００３６】
好ましくは、ここで、集貨カートに手動仕分け商品棚エリアの物品に関する注文に対応する容器のみが配置され、ＧＴＰ商品棚エリアの物品のみに関する注文に対応する容器が配置されない。
【００３７】
しかし、必要に応じて、注文内の物品のタイプを区別せずに、１つの段階の処理待ちの注文に対応する容器を全て集貨カートに配置してもよく、すなわち、注文に関わる物品が手動仕分け商品棚エリアに位置する物品に関するか否かに関わらず、対応する容器はいずれも集貨カートに配置される。このような場合、手動で物品を仕分けする時に、仕分け作業者は、紙の注文または電子注文など情報の指示に応じて物品を仕分けする。
【００３８】
ステップＳ４２０において、手動仕分けが行われた後の集貨カートはワークステーションに運搬され、後続の動作モードに応じて、箱交換動作が行われるか、または箱交換動作が行われない。
【００３９】
容器交換モードでは、すなわち、ＰＴＧ仕分け及びＧＴＰ仕分けの切り替え期間において、集貨カートにおける容器を取り外し、容器を種まき壁に置き、仕分け作業者は、容器のバーコードまたは仕分けリストをスキャンすることにより、種まき壁における仕分けステーション、対応する容器、対応する注文情報の対応情報をバックグラウンドシステムに確立させ、後続のＧＴＰ仕分けのために準備をしておく。
【００４０】
容器交換なしモードでは、すなわち、ＰＴＧ仕分け及びＧＴＰ仕分けの切り替え期間に、容器は依然として集貨カートに配置され、位置が変動されず、集貨カートを種まき壁として仕分け動作を行い、すなわち、中継仕分けのシステム全体は、ロボットに基づくＧＴＰサブマガジンエリア及びＰＴＧに基づく手動仕分けサブマガジンエリアにおいて、容器が載置された同一の集貨補助具（集貨カート、トレイが載置されたローリフト、ローラーコンベヤ等）を採用し、箱交換動作を行わず、中継環節の作業量を最大の程度で低減し、中継仕分けの中継効率を向上させる。
【００４１】
バーコードをスキャンする等の形式により、混合リスト、集貨補助具、集貨補助具の商品配置位置、容器と混合リストから分割されたサブ注文（分割されたＰＴＧ仕分けのサブ注文およびＧＴＰ仕分けのサブ注文）のいずれかまたはいくつかとの結び付け対応関係を確立することができ、結び付け対応関係が確立された後に、仕分け作業者が混合リスト、集貨補助具、集貨補助具の商品配置位置、容器、およびサブ注文のうちのいずれかのバーコードをスキャンすることにより、バックグラウンドシステムは、上記集合リスト、集貨工具、集貨工具の商品配置位置、容器、およびサブ注文のいずれかまたはいくつかの結び付け対応関係および対応情報を取得することができる。
【００４２】
続いて、ステップＳ４３０において、ロボットに基づくＧＴＰ仕分けを行う。
具体的には、ロボットに基づくＧＴＰ仕分けは、下記の操作により行うことができる。
【００４３】
ステップＳ４３１において、商品棚を決定する。
具体的には、制御システムは、業務要求、在庫情報、および商品棚選択ポリシーに応じて、いずれかまたはいくつかのターゲット搬送商品棚を決定する。
【００４４】
ステップＳ４３２において、ロボットが搬送する。
具体的には、制御システムは、ロボットのスケジューリングポリシーに応じて、該商品棚を所定のワークステーションに搬送するようにあるロボットを指定する。
【００４５】
ステップＳ４３３において、物品を仕分けする。
具体的には、ロボットがワークステーションに搬送すると、複数のロボットは、スケジューリングポリシーに応じてワークステーションにおいて整列する。ワークステーションに表示パネルが配置され、仕分け待ちの商品の情報および商品棚における所在位置情報等が全て表示パネルに表示され、仕分け作業者は、液晶パネルの表示情報に応じて、商品棚から対応する商品を取り出す。仕分け作業者は、取得した商品をバーコードスキャナでスキャンし、スキャン結果が仕分け待ちの商品のバーコード等の情報と一致すれば、仕分け作業者は、画面、指示ランプ等の提示に基づいて物品を所定の容器に置き、今回の仕分けタスクが終了するまで下記のタスクを実行し続ける。情報が一致しなければ、画面に商品のエラー提示が表示され，仕分け作業者に仕分けタスクの再実行を要求する。
【００４６】
このように、ＰＴＧ仕分けモードが先に行われ、ＧＴＰ仕分けモードが後に行われる中継仕分けを行う。
【００４７】
その代わりに、ＧＴＰ仕分けモードが先に行われ、ＰＴＧ仕分けモードが後に行われる中継仕分けであってもよい。
【００４８】
一例において、ロボットに基づくＧＴＰ仕分けシステムは、仕分けステーションの表示パネルの代わりに、ＶＲメガネまたは音声案内を用いることができる。
【００４９】
一例において、手動仕分けのステップにおいて、上記のつみ取り方式を採用することができるほか、「つみ取り＋種まき」の組み合わせ方式を採用してもよく、すなわち、作業者は、まず、統計された仕分け待ちの物品の情報に基づいてつみ取り方式を用いて手動商品棚エリアにおいて集貨し、その後、集められた物品を種まき方式で対応注文に対応する容器に置く。
【００５０】
一例において、上記ＧＴＰ仕分けのサブステップにおいて、上記直接の仕分け方式のほか、階層仕分けのモードを採用してもよく、具体的には、上海極絡智能科技有限公司が先に提出した中国特許出願（出願番号：２０１６１０８２５１６４．７、特許名称：階層物品仕分け方法、システムおよび計算装置）を参照することができる。
【００５１】
一例において、手動仕分け商品棚エリアの商品棚における物品が手動で仕分けされるときごとに、制御システムに記憶された手動仕分け商品棚におけるステーション、ステーションにおける物品タグ、および数量情報が更新される。このような更新は、仕分け作業者によって手作業で行うことができ、例えば、ハンドヘルド電子機器で対応情報を入力する。その代わりに、対応する監視機能により自動的または半自動的に実現することができ、例えば、ビデオ監視、画像処理により自動的に実現し、この過程において、自動音声認識技術と結び付けてもよく、手動誤り訂正操作と結び付けてもよい。
【００５２】
なお、上記の説明では、ＰＴＧ仕分け方式において、携帯容器が載置された手動仕分け集貨補助具を手動で手動仕分け商品棚エリアに運搬して物品を仕分けするが、その代わりに、自動運搬具で容器を持って手動仕分け商品棚エリアに運搬し、そこで待っている仕分け作業者によって手動で仕分けされてもよい。具体的には、手動仕分け集貨補助具が手動仕分け商品棚エリアに到着すると、例えば、制御システムが指示する注文仕分け順序に従って物品の仕分けを手動で行う。
【００５３】
一例において、システムにおける注文状態をタイムリーに更新し、後続のタスクを正確に実行させるために、中継方式の２つの段階について、いずれかの段階において物品の仕分けが行われた後に、制御システムに維持された対応する注文の仕分け状態が更新される。
【００５４】
以上をまとめ、本発明は、少なくとも以下の技術案を提供する。
（１）、商品棚を持ち上げて運搬することができる複数の搬送ロボットと、
手動仕分けされる物品を保管するための手動仕分け商品棚エリアと、
容器が載置され、手動運転または運搬に便利であり、バックグラウンドシステムによって、それぞれの手動仕分け補助具と、載置する容器、対応する注文情報とを結び付けるように操作することができる手動仕分け集貨補助具と、
物品を保管してロボットに搬送される複数の商品棚が配置され、商品棚が複数の行／列の商品棚行列に配列され、空の行／列は搬送ロボットが通行する通路を構成する機器仕分け商品棚エリアと、
搬送ロボットによって商品棚が搬送されると、仕分け作業者は、商品棚から物品を仕分けしたり、物品を商品棚に載せたりするワークステーションと、
搬送ロボットや手動仕分けを行う人と通信し、注文の割り当て、商品棚の搬送、および物品の仕分けを行うように制御できる制御システムと、
を備える中継式物品仕分けシステムであって、
手動仕分けエリアの物品に関するとともに、機器仕分け商品棚エリアの物品にも関する混合型注文について、手動仕分けエリアの物品に関する注文の仕分けをＰＴＧ仕分け方式で行い、機器仕分け商品棚エリアの物品に関する注文の仕分けをＧＴＰ仕分け方式で行うように、制御システムによる制御の下に、ＰＴＧ仕分け方式およびＧＴＰ仕分け方式の直列仕分けによる中継方式で混合注文の仕分けを行う、中継式物品仕分けシステム。
【００５５】
（２）、制御システムは、注文を、手動仕分け型注文は手動仕分けエリアの物品のみに関する手動仕分け型注文と、機器仕分け商品棚エリアの物品のみに関するＧＴＰ仕分け型注文と、混合型注文とに分類し、
手動仕分け型注文について、制御システムは、ＰＴＧ仕分け方式で物品を仕分けするように制御し、
ＧＴＰ仕分け型注文について、制御システムは、ＧＴＰ仕分け方式で物品を仕分けするように制御する、（１）に記載の中継式物品仕分けシステム。
【００５６】
（３）、前記手動仕分け商品棚エリアに、手動仕分けされる物品が保管される複数の手動仕分け商品棚が配置され、それぞれの手動仕分け商品棚が一意の番号を有し、手動仕分け商品棚におけるステーション、ステーションにおける物品タグ、および数量情報が制御システムに記憶される、（１）に記載の中継式物品仕分けシステム。
【００５７】
（４）、手動仕分け商品棚エリアの物品の仕分け頻度は、機器仕分け商品棚エリアの物品の仕分け頻度よりも大きい、（１）に記載の中継式物品仕分けシステム。
【００５８】
（５）、前記中継方式で混合注文の仕分けを行うことは、
手動仕分けエリアの物品に関する注文の仕分けをＰＴＧの方式で行ってから、機器仕分け商品棚エリアの物品に関する注文の仕分けをＧＴＰの方式で行うことを含む、（１）に記載の中継式物品仕分けシステム。
【００５９】
（６）、同一の混合注文について、ＰＴＧ方式の仕分け部分の物品の仕分けと、ＧＴＰ方式の物品の仕分けとは、使用する容器が同一のであり、且つ、該同一の容器が常に同一の手動仕分け集貨補助具に配置される、（５）に記載の中継式物品仕分けシステム。
【００６０】
（７）、ワークステーションに配置された種まき壁を更に備え、同一の混合注文について、ＰＴＧ方式部分の物品の仕分けと、ＧＴＰ方式の物品の仕分けとは、使用する容器が同一であり、且つ、該同一の容器は、ＰＴＧ方式の仕分けにおいて手動仕分け集貨補助具に配置され、ＧＴＰ方式の仕分けにおいて種まき壁に配置され、種まき壁に配置される場合に、種まき壁のステーションと容器タグ、注文情報との間の再結び付けが行われる、（５）に記載の中継式物品仕分けシステム。
【００６１】
（８）、前記混合注文の仕分けを行うことは、
機器仕分け商品棚エリアの物品に関する注文の仕分けをＧＴＰの方式で行ってから、手動仕分けエリアの物品に関する注文の仕分けをＰＴＧの方式で行うことを含む、（１）に記載の中継式物品仕分けシステム。
【００６２】
（９）、手動仕分け商品棚エリアの商品棚における物品が手動で仕分けされるときごとに、制御システムに記憶された手動仕分け商品棚におけるステーション、ステーションにおける物品タグ、および数量情報が更新される、（１）から（８）のいずれか１項に記載の中継式物品仕分けシステム。
【００６３】
（１０）、前記それぞれの手動仕分け補助具と、載置する容器、対応する注文情報とを結び付けることは、スキャナでカートのバーコードおよび／または容器のバーコードをスキャンすることにより行われる、（１）から（８）のいずれか１項に記載の中継式物品仕分けシステム。
【００６４】
（１１）、ＰＴＧ仕分け方式において、携帯容器が載置された手動仕分け集貨補助具を手動で手動仕分け商品棚エリアに運搬して物品を仕分けし、
ＧＴＰ仕分け方式において、人および容器が仕分けステーションに位置し、搬送ロボットが商品棚をワークステーションに搬送し、仕分け作業者が商品棚から物品を容器に仕分けする、（１）から（８）のいずれか１項に記載の中継式物品仕分けシステム。
【００６５】
（１２）、ＰＴＧ仕分け方式において、制御システムが計画したルートに従って、手動仕分け集貨補助具を手動で手動仕分け商品棚エリアに運搬して物品を仕分けする、（１１）に記載の中継式物品仕分けシステム。
【００６６】
（１３）、手動仕分け商品棚エリアに到着すると、制御システムが指示する注文仕分け順序に従って物品の仕分けを手動で行う、（１２）に記載の中継式物品仕分けシステム。
【００６７】
（１４）、中継方式の２つの段階について、いずれかの段階において物品の仕分けが行われた後に、制御システムに維持された対応する注文の仕分け状態が更新される、（１）から（８）のいずれか１項に記載の中継式物品仕分けシステム。
【００６８】
（１５）、前記制御システムによる制御の下に、ＰＴＧ仕分け方式およびＧＴＰ仕分け方式の直列仕分けによる中継方式で混合注文の仕分けを行うことは、
ＰＴＧ仕分け方式が先に行われ、ＧＴＰ仕分け方式が後に行われる場合に、（１）ＰＴＧの仕分けが行われた後に、注文に関連する容器が載置された手動仕分け集貨補助具は、ワークステーションに運搬され、ワークステーションにおいて、手動仕分け集貨補助具の商品配置位置タグ情報、容器タグ情報は、対応する注文情報と関連付けられて制御システムに維持され、且つ、注文において行う必要のある仕分けタスクを指示するように、対応する注文情報が更新されており、この時の仕分けタスクは機器仕分け商品棚エリアの物品のみに関し、（２）続いて、前記注文情報に基づき、商品棚の割り当て、商品棚の搬送、商品棚への物品載せを経由して種まき壁の容器に仕分けすることを含む、ＧＴＰ仕分け方式による仕分けを行うことと、
ＧＴＰ仕分け方式が先に行われ、ＰＴＧ仕分け方式が後に行われる場合に、（１）ワークステーションにおいて、手動仕分け集貨補助具の商品配置位置タグ情報、容器タグ情報が対応する注文情報と関連付けられて制御システムに維持され、且つ、対応する注文情報は、注文において行う必要のある、ＧＴＰ仕分けに関連する仕分けタスクを指示し、この時の仕分けタスクは、機器仕分け商品棚エリアの物品のみに関し、（２）続いて、前記注文情報に基づき、商品棚の割り当て、商品棚の搬送、商品棚への物品載せを経由して種まき壁の容器に仕分けすることを含む、ＧＴＰ仕分け方式による仕分けを行い、（３）ＧＴＰの仕分けが行われた後に、対応する注文情報を更新して注文において行う必要のある、ＰＴＧ仕分けに関連する仕分けタスクを指示し、この時の仕分けタスクは手動仕分け商品棚エリアの物品のみに関することと、
を含む、（１）から（８）のいずれか１項に記載の中継式物品仕分けシステム。
【００６９】
（１６）、手動仕分けエリアの物品に関するとともに、機器仕分け商品棚エリアの物品にも関する混合型注文について、制御システムによる制御の下、ＰＴＧ仕分け方式およびＧＴＰ仕分け方式の直列仕分けによる中継方式で混合注文の仕分けを行い、手動仕分けエリアの物品に関する注文の仕分けをＰＴＧ仕分け方式で行い、機器仕分け商品棚エリアの物品に関する注文の仕分けをＧＴＰ仕分け方式で行うこと、
を含む、（１）に記載の中継式物品仕分けシステムで実行される中継式物品仕分け方法。
【００７０】
（１７）、制御システムによって、処理待ちの注文を、手動仕分けエリアの物品のみに関する手動仕分け型注文と、機器仕分け商品棚エリアの物品のみに関するＧＴＰ仕分け型注文と、手動仕分けエリアの物品に関するとともに機器仕分け商品棚エリアの物品にも関する混合型注文とに分類することを更に含み、
手動仕分け型注文について、制御システムによる制御の下、ＰＴＧ仕分け方式で物品の仕分けを行い、
ＧＴＰ仕分け型注文について、制御システムによる制御の下、ロボットに基づくＧＴＰ仕分け方式で物品の仕分けを行い、ＧＴＰ仕分け方式において、制御システムは、注文に基づいて搬送待ちの商品棚を決定し、商品棚を機器仕分け商品棚エリアからワークステーションに運搬するようにロボットに指示し、ワークステーションにおいて、仕分け作業者は、制御システムの制御に基づいて商品棚から物品を仕分けし、
混合型注文について、制御システムによる制御の下、ＰＴＧ仕分け方式およびＧＴＰ仕分け方式の直列仕分けによる中継方式で混合注文の仕分けを行う、（１６）に記載の中継式物品仕分け方法。
【００７１】
（１８）、前記中継方式で混合注文の仕分けを行うことは、
手動仕分けエリアの物品に関する注文の仕分けをＰＴＧの方式で行ってから、機器仕分け商品棚エリアの物品に関する注文の仕分けをＧＴＰの方式で行うことを含む、（１６）に記載の中継式物品仕分け方法。
【００７２】
（１９）、同一の混合注文について、ＰＴＧ方式の仕分け部分の物品の仕分けと、ＧＴＰ方式の物品の仕分けとは、使用する容器が同一であり、且つ、該同一の容器が常に同一の手動仕分け集貨補助具に配置される、（１８）に記載の中継式物品仕分け方法。
【００７３】
（２０）、種まき壁がワークステーションに配置され、同一の混合注文について、ＰＴＧ方式部分の物品の仕分けと、ＧＴＰ方式の物品の仕分けとは、使用する容器が同一であり、且つ、該同一の容器がＰＴＧ方式の仕分けにおいて手動仕分け集貨補助具に配置され、ＧＴＰ方式の仕分けにおいて種まき壁に配置され、種まき壁に配置される場合に、種まき壁のステーションと容器タグ、注文情報との間の再結び付けが行われる、（１８）に記載の中継式物品仕分け方法。
【００７４】
（２１）、前記混合注文の仕分けを行うことは、
機器仕分け商品棚エリアの物品に関する注文の仕分けをＧＴＰの方式で行ってから、手動仕分けエリアの物品に関する注文の仕分けをＰＴＧの方式で行うことを含む、（１７）に記載の中継式物品仕分け方法。
【００７５】
（２２）、手動仕分け商品棚エリアの商品棚における物品が手動で仕分けされるときごとに、制御システムに記憶された手動仕分け商品棚におけるステーション、ステーションにおける物品タグ、および数量情報が更新される、（１７）から（２１）のいずれか１項に記載の中継式物品仕分け方法。
【００７６】
（２３）、前記各手動仕分け補助具と、載置する容器、対応する注文情報とを結び付けることは、スキャナでカートのバーコードおよび／または容器のバーコードをスキャンすることにより行われる、（１７）から（２１）のいずれか１項に記載の中継式物品仕分け方法。
【００７７】
（２４）、ＰＴＧ仕分け方式において、携帯容器が載置された手動仕分け集貨補助具を手動で手動仕分け商品棚エリアに運搬して物品を仕分けし、
ＧＴＰ仕分け方式において、人および容器が仕分けステーションに位置し、搬送ロボットが商品棚をワークステーションに搬送し、仕分け作業者が商品棚から物品を容器に仕分けする、（１７）から（２１）のいずれか１項に記載の中継式物品仕分け方法。
【００７８】
（２５）、ＰＴＧ仕分け方式において、制御システムが計画したルートに従って、手動仕分け集貨補助具を手動で手動仕分け商品棚エリアに運搬して物品を仕分けする、（２４）に記載の中継式物品仕分け方法。
【００７９】
（２６）、手動仕分け商品棚エリアに到着すると、制御システムが指示する注文仕分け順序に従って物品の仕分けを手動で行う、（２５）に記載の中継式物品仕分け方法。
【００８０】
（２７）、中継方式の２つの段階について、いずれかの段階において物品の仕分けが行われた後に、制御システムに維持された対応する注文の仕分け状態が更新される、（１７）から（２１）のいずれか１項に記載の中継式物品仕分け方法。
【００８１】
以上、本発明の各実施例について説明したが、上記の説明は、例示的なものであり、網羅的なものではなく、かつ、開示された各実施例に限定されるわけでもない。説明した各実施例の範囲および主旨から逸脱しない限り、当業者にとって、多くの修正および変更は明らかである。そのため、本発明の保護範囲は、特許請求の範囲を基準とすべきである。
【図１】
2019532883.tif 000003
【図２】
2019532883.tif 000004
【図３】
2019532883.tif 000005
【図４】
2019532883.tif 000006
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
商品棚を持ち上げて運搬することができる複数の搬送ロボットと、
手動仕分けされる物品を保管するための手動仕分け商品棚エリアと、
容器が載置され、手動運転または運搬に便利であり、バックグラウンドシステムによって、それぞれの手動仕分け補助具と、載置する容器、対応する注文情報とを結び付けるように操作することができる手動仕分け集貨補助具と、
物品を保管してロボットに搬送される複数の商品棚が配置され、商品棚が複数の行／列の商品棚行列に配列され、空の行／列は搬送ロボットが通行する通路を構成する機器仕分け商品棚エリアと、
搬送ロボットによって商品棚が搬送されると、仕分け作業者は、商品棚から物品を仕分けしたり、物品を商品棚に載せたりするワークステーションと、
搬送ロボットや手動仕分けを行う人と通信し、注文の割り当て、商品棚の搬送、および物品の仕分けを行うように制御できる制御システムと、
を備える中継式物品仕分けシステムであって、
手動仕分けエリアの物品に関するとともに、機器仕分け商品棚エリアの物品にも関する混合型注文について、手動仕分けエリアの物品に関する注文の仕分けをＰＴＧ仕分け方式で行い、機器仕分け商品棚エリアの物品に関する注文の仕分けをＧＴＰ仕分け方式で行うように、制御システムによる制御の下、ＰＴＧ仕分け方式およびＧＴＰ仕分け方式の直列仕分けによる中継方式で混合注文の仕分けを行う、中継式物品仕分けシステム。
【請求項２】
制御システムは、注文を、手動仕分けエリアの物品のみに関する手動仕分け型注文と、機器仕分け商品棚エリアの物品のみに関するＧＴＰ仕分け型注文と、混合型注文とに分類し、
手動仕分け型注文について、制御システムは、ＰＴＧ仕分け方式で物品を仕分けするように制御し、
ＧＴＰ仕分け型注文について、制御システムは、ＧＴＰ仕分け方式で物品を仕分けするように制御する、請求項１に記載の中継式物品仕分けシステム。
【請求項３】
前記手動仕分け商品棚エリアに、手動仕分けされる物品が保管される複数の手動仕分け商品棚が配置され、それぞれの手動仕分け商品棚が一意の番号を有し、手動仕分け商品棚におけるステーション、ステーションにおける物品タグ、および数量情報が制御システムに記憶される、請求項１に記載の中継式物品仕分けシステム。
【請求項４】
手動仕分け商品棚エリアの物品の仕分け頻度は、機器仕分け商品棚エリアの物品の仕分け頻度よりも大きい、請求項１に記載の中継式物品仕分けシステム。
【請求項５】
前記中継方式で混合注文の仕分けを行うことは、
手動仕分けエリアの物品に関する注文の仕分けをＰＴＧの方式で行ってから、機器仕分け商品棚エリアの物品に関する注文の仕分けをＧＴＰの方式で行うことを含む、請求項１に記載の中継式物品仕分けシステム。
【請求項６】
同一の混合注文について、ＰＴＧ方式の仕分け部分の物品の仕分けと、ＧＴＰ方式の物品の仕分けとは、使用する容器が同一であり、且つ、該同一の容器が常に同一の手動仕分け集貨補助具に配置される、請求項５に記載の中継式物品仕分けシステム。
【請求項７】
ワークステーションに配置された種まき壁を更に備え、同一の混合注文について、ＰＴＧ方式部分の物品の仕分けと、ＧＴＰ方式の物品の仕分けとは、使用する容器が同一であり、且つ、該同一の容器がＰＴＧ方式の仕分け部分において手動仕分け集貨補助具に配置され、ＧＴＰ方式の仕分け部分において種まき壁に配置され、種まき壁に配置される場合に、種まき壁のステーションと容器タグ、注文情報との間の再結び付けが行われる、請求項５に記載の中継式物品仕分けシステム。
【請求項８】
前記混合注文の仕分けを行うことは、
機器仕分け商品棚エリアの物品に関する注文の仕分けをＧＴＰの方式で行ってから、手動仕分けエリアの物品に関する注文の仕分けをＰＴＧの方式で行うことを含む、請求項１に記載の中継式物品仕分けシステム。
【請求項９】
手動仕分け商品棚エリアの商品棚における物品が手動で仕分けされるときごとに、制御システムに記憶された手動仕分け商品棚におけるステーション、ステーションにおける物品タグ、および数量情報が更新される、請求項１から８のいずれか１項に記載の中継式物品仕分けシステム。
【請求項１０】
前記それぞれの手動仕分け補助具と、載置する容器、対応する注文情報とを結び付けることは、スキャナで手動仕分け補助具のバーコードおよび／または容器のバーコードをスキャンすることにより行われる、請求項１から８のいずれか１項に記載の中継式物品仕分けシステム。
【請求項１１】
ＰＴＧ仕分け方式において、携帯容器が載置された手動仕分け集貨補助具を手動で手動仕分け商品棚エリアに運搬して物品を仕分けし、
ＧＴＰ仕分け方式において、人および容器が仕分けステーションに位置し、搬送ロボットが商品棚をワークステーションに搬送し、仕分け作業者が商品棚から物品を容器に仕分けする、請求項１から８のいずれか１項に記載の中継式物品仕分けシステム。
【請求項１２】
ＰＴＧ仕分け方式において、制御システムが計画したルートに従って、手動仕分け集貨補助具を手動で手動仕分け商品棚エリアに運搬して物品を仕分けする、請求項１１に記載の中継式物品仕分けシステム。
【請求項１３】
手動仕分け商品棚エリアに到着すると、制御システムが指示する注文仕分け順序に従って物品の仕分けを手動で行う、請求項１２に記載の中継式物品仕分けシステム。
【請求項１４】
中継方式の２つの段階について、いずれかの段階において物品の仕分けが行われた後に、制御システムに維持された対応する注文の仕分け状態が更新される、請求項１から８のいずれか１項に記載の中継式物品仕分けシステム。
【請求項１５】
前記制御システムによる制御の下、ＰＴＧ仕分け方式およびＧＴＰ仕分け方式の直列仕分けによる中継方式で混合注文の仕分けを行うことは、
ＰＴＧ仕分け方式が先に行われ、ＧＴＰ仕分け方式が後に行われる場合に、（１）ＰＴＧの仕分けが行われた後に、注文に関連する容器が載置された手動仕分け集貨補助具は、ワークステーションに運搬され、ワークステーションにおいて、手動仕分け集貨補助具の商品配置位置タグ情報、容器タグ情報は、対応する注文情報と関連付けられて制御システムに維持され、且つ、注文において行う必要のある仕分けタスクを指示するように、対応する注文情報が更新されており、この時の仕分けタスクは機器仕分け商品棚エリアの物品のみに関し、（２）続いて、前記注文情報に基づき、商品棚の割り当て、商品棚の搬送、商品棚への物品載せを経由して種まき壁の容器に仕分けすることを含む、ＧＴＰ仕分け方式による仕分けを行うことと、
ＧＴＰ仕分け方式が先に行われ、ＰＴＧ仕分け方式が後に行われる場合に、（１）ワークステーションにおいて、手動仕分け集貨補助具の商品配置位置タグ情報、容器タグ情報は対応する注文情報と関連付けられて制御システムに維持され、且つ、対応する注文情報は、注文において行う必要のある、ＧＴＰ仕分けに関連する仕分けタスクを指示し、この時の仕分けタスクは、機器仕分け商品棚エリアの物品のみに関し、（２）続いて、前記注文情報に基づき、商品棚の割り当て、商品棚の搬送、商品棚への物品載せを経由して種まき壁の容器に仕分けすることを含む、ＧＴＰ仕分け方式による仕分けを行い、（３）ＧＴＰの仕分けが行われた後に、対応する注文情報を更新して注文において行う必要のある、ＰＴＧ仕分けに関連する仕分けタスクを指示し、この時の仕分けタスクは手動仕分け商品棚エリアの物品のみに関することと、
を含む、請求項１から８のいずれか１項に記載の中継式物品仕分けシステム。
【請求項１６】
請求項１に記載の中継式物品仕分けシステムで実行される中継式物品仕分け方法であって、
手動仕分けエリアの物品に関するとともに、機器仕分け商品棚エリアの物品にも関する混合型注文について、制御システムによる制御の下、ＰＴＧ仕分け方式およびＧＴＰ仕分け方式の直列仕分けによる中継方式で混合注文の仕分けを行い、手動仕分けエリアの物品に関する注文の仕分けをＰＴＧ仕分け方式で行い、機器仕分け商品棚エリアの物品に関する注文の仕分けをＧＴＰ仕分け方式で行うこと、
を含む、中継式物品仕分け方法。
【請求項１７】
制御システムは、処理待ちの注文を、手動仕分け型注文は手動仕分けエリアの物品のみに関する手動仕分け型注文と、機器仕分け商品棚エリアの物品のみに関するＧＴＰ仕分け型注文と、手動仕分けエリアの物品に関するとともに機器仕分け商品棚エリアの物品にも関する混合型注文とに分類することを更に含み、
手動仕分け型注文について、制御システムによる制御の下、ＰＴＧ仕分け方式で物品の仕分けを行い、
ＧＴＰ仕分け型注文について、制御システムによる制御の下、ロボットに基づくＧＴＰ仕分け方式で物品の仕分けを行い、ＧＴＰ仕分け方式において、制御システムは、注文に基づいて搬送待ちの商品棚を決定し、商品棚を機器仕分け商品棚エリアからワークステーションに運搬するようにロボットに指示し、ワークステーションにおいて、仕分け作業者は制御システムの制御に基づいて商品棚から物品を仕分けし、
混合型注文について、制御システムによる制御の下、ＰＴＧ仕分け方式およびＧＴＰ仕分け方式の直列仕分けによる中継方式で混合注文の仕分けを行う、請求項１６に記載の中継式物品仕分け方法。
【請求項１８】
前記中継方式で混合注文の仕分けを行うことは、
手動仕分けエリアの物品に関する注文の仕分けをＰＴＧの方式で行ってから、機器仕分け商品棚エリアの物品に関する注文の仕分けをＧＴＰの方式で行うことを含む、請求項１６に記載の中継式物品仕分け方法。
【請求項１９】
同一の混合注文について、ＰＴＧ方式の仕分け部分の物品の仕分けと、ＧＴＰ方式の物品の仕分けとは、使用する容器が同一であり、且つ、該同一の容器が常に同一の手動仕分け集貨補助具に配置される、請求項１８に記載の中継式物品仕分け方法。
【請求項２０】
種まき壁がワークステーションに配置され、同一の混合注文について、ＰＴＧ方式部分の物品の仕分けと、ＧＴＰ方式の物品の仕分けとは、使用する容器が同一であり、且つ、該同一の容器がＰＴＧ方式の仕分け部分において手動仕分け集貨補助具に配置され、ＧＴＰ方式の仕分け部分において種まき壁に配置され、種まき壁に配置される場合に、種まき壁のステーションと容器タグ、注文情報との間の再結び付けが行われる、請求項１８に記載の中継式物品仕分け方法。
【請求項２１】
前記混合注文の仕分けを行うことは、
機器仕分け商品棚エリアの物品に関する注文の仕分けをＧＴＰの方式で行ってから、手動仕分けエリアの物品に関する注文の仕分けをＰＴＧの方式で行うことを含む、請求項１７に記載の中継式物品仕分け方法。
【請求項２２】
手動仕分け商品棚エリアの商品棚における物品が手動で仕分けされるときごとに、制御システムに記憶された手動仕分け商品棚におけるステーション、ステーションにおける物品タグ、および数量情報が更新される、請求項１７から２１のいずれか１項に記載の中継式物品仕分け方法。
【請求項２３】
前記各手動仕分け補助具と、載置する容器、対応する注文情報とを結び付けることは、スキャナで手動仕分け補助具のバーコードおよび／または容器のバーコードをスキャンすることにより行われる、請求項１７から２１のいずれか１項に記載の中継式物品仕分け方法。
【請求項２４】
ＰＴＧ仕分け方式において、携帯容器が載置された手動仕分け集貨補助具を手動で手動仕分け商品棚エリアに運搬して物品を仕分けし、
ＧＴＰ仕分け方式において、人および容器が仕分けステーションに位置し、搬送ロボットが商品棚をワークステーションに搬送し、仕分け作業者が商品棚から物品を容器に仕分けする、請求項１７から２１のいずれか１項に記載の中継式物品仕分け方法。
【請求項２５】
ＰＴＧ仕分け方式において、制御システムが計画したルートに従って、手動仕分け集貨補助具を手動で手動仕分け商品棚エリアに運搬して物品を仕分けする、請求項２４に記載の中継式物品仕分け方法。
【請求項２６】
手動仕分け商品棚エリアに到着すると、制御システムが指示する注文仕分け順序に従って物品の仕分けを手動で行う、請求項２５に記載の中継式物品仕分け方法。
【請求項２７】
中継方式の２つの段階について、いずれかの段階において物品の仕分けが行われた後に、制御システムに維持された対応する注文の仕分け状態が更新される、請求項１７から２１のいずれか１項に記載の中継式物品仕分け方法。
【手続補正２】
【補正対象書類名】明細書
【補正対象項目名】００６３
【補正方法】変更
【補正の内容】
【００６３】
（１０）、前記それぞれの手動仕分け補助具と、載置する容器、対応する注文情報とを結び付けることは、スキャナで手動仕分け補助具のバーコードおよび／または容器のバーコードをスキャンすることにより行われる、（１）から（８）のいずれか１項に記載の中継式物品仕分けシステム。
【手続補正３】
【補正対象書類名】明細書
【補正対象項目名】００７６
【補正方法】変更
【補正の内容】
【００７６】
（２３）、前記各手動仕分け補助具と、載置する容器、対応する注文情報とを結び付けることは、スキャナで手動仕分け補助具のバーコードおよび／または容器のバーコードをスキャンすることにより行われる、（１７）から（２１）のいずれか１項に記載の中継式物品仕分け方法。
【手続補正４】
【補正対象書類名】図面
【補正対象項目名】図４
【補正方法】変更
【補正の内容】
【図４】
2019532883.tif 000007
【国際調査報告】
2019532883.tif 000008
2019532883.tif 000009
2019532883.tif 000010
2019532883.tif 000011